(57)【要約】【課題】目地材の施工作業性を高めつつ、排水用スペースを確保することのできる目地用の排水部材を提供する。【解決手段】建物の目地３０に挿入された縦目地一次止水材３１と縦目地二次止水材３２の直下に設けられ、縦目地一次止水材３１と縦目地二次止水材３２との間に侵入した水Ｗを屋外へ排出する排水部材であって、上端面に、縦目地一次止水材３１の下端面が当接する第一当接面１１を有する筒状体の後端部に、当該縦目地一次止水材３１の後端面が当接する第二当接面１４を形成する縦壁１５を立設し、内部に、前後方向の排水通路１２を有する排水体１０と、排水体１０の後端から連設され、左右方向に矢印状に形成したリップ片２１を有し、当該リップ片の上端面に、縦目地二次止水材３２の下端面が当接する第三当接面２３を有する組付体２０とで構成する【選択図】      図２
2006291599.tif 000002
【特許請求の範囲】
【請求項１】
建物の目地（３０）に挿入された縦目地一次止水材（３１）と縦目地二次止水材（３２）の直下に設けられ，前記縦目地一次止水材と縦目地二次止水材との間に侵入した水（Ｗ）を屋外へ排出する排水部材であって、
上端面に，前記縦目地一次止水材の下端面が当接する第一当接面（１１）を有する筒状体の後端部に、該縦目地一次止水材の後端面が当接する第二当接面（１４）を形成する縦壁（１５）を立設し、内部に，前後方向の排水通路（１２）を有する排水体（１０）と、
前記排水体の後端から連設され，左右方向に矢印状に形成したリップ片（２１）を有し，該リップ片の上端面に，前記縦目地二次止水材の下端面が当接する第三当接面（２３）を有する組付体（２０）と、からなる目地排水部材。
【請求項２】
建物の目地（３０）に挿入された縦目地一次止水材（３１）と縦目地二次止水材（３２）の直下に設けられ，前記縦目地一次止水材と縦目地二次止水材との間に侵入した水（Ｗ）を屋外へ排出する排水部材であって、
上端面に，前記縦目地一次止水材の下端面が当接する第一当接面（１１）を有する筒状体の後端部に、該縦目地一次止水材の後端面が当接する第二当接面（１４）を形成する縦壁を（１５）を立設し、内部に，前後方向の排水通路（１２）を有する排水体（１０）と、
前記排水体の後端から連設されると共に，底壁（２４）の後端部から後壁（２６）を立設し，前記底壁の上端面に，前記縦壁と後壁との間に侵入させた前記縦目地二次止水材の下端面が当接する第三当接面（２３）を有する組付体（２０）と、からなる目地排水部材。
【請求項３】
排水体（１０）の排水通路１２を、その前端開口部（１３）が下向きになるように形成してなる請求項１または２に記載の目地排水部材。
【発明の詳細な説明】
【技術分野】
【０００１】
本発明は、建物の目地に挿入され、縦目地一次止水材と縦目地二次止水材との間に侵入した水を屋外に排水する排水部材に関するものである。
【背景技術】
【０００２】
図１を参照して説明する。外壁をサイディング（パネル）５０で構成した建物の目地５１には、ガスケット（乾式目地材）やシーリング（湿式目地材）等の目地材５２を充填するが、その際、縦目地材５２ａの下端部には排水用スペース５３を形成している。
【発明の開示】
【発明が解決しようとする課題】
【０００３】
しかし、この排水用スペース５３は、縦目地材５２ａや横目地材５２ｂの充填を調整することによって適切な大きさに設定する必要があるので、目地材５２の施工作業性が悪くなるといった問題がある。また、目地材５２を充填する際の施工のバラツキによって、排水用スペース５３を塞いでしまい易いといった問題も発生する。
【０００４】
本発明はこうした問題に鑑み創案されたもので、目地材の施工作業性を高めつつ、排水用スペースを確保することのできる目地用の排水部材を提供することを課題とする。
【課題を解決するための手段】
【０００５】
図２乃至図１４を参照して説明する。請求項１に記載の目地排水部材１は、建物の目地３０に挿入された縦目地一次止水材３１と縦目地二次止水材３２の直下に設けられ、前記縦目地一次止水材３１と縦目地二次止水材３２との間に侵入した水Ｗを屋外へ排出する排水部材であって、上端面に、前記縦目地一次止水材３１の下端面が当接する第一当接面１１を有する筒状体の後端部に、当該縦目地一次止水材３１の後端面が当接する第二当接面１４を形成する縦壁１５を立設し、内部に、前後方向の排水通路１２を有する排水体１０と、前記排水体１０の後端から連設され、左右方向に矢印状に形成したリップ片２１を有し、当該リップ片の上端面に、前記縦目地二次止水材３２の下端面が当接する第三当接面２３を有する組付体２０と、からなる。
【０００６】
請求項２に記載の目地排水部材１は、建物の目地３０に挿入された縦目地一次止水材３１と縦目地二次止水材３２の直下に設けられ、前記縦目地一次止水材３１と縦目地二次止水材３２との間に侵入した水Ｗを屋外へ排出する排水部材であって、上端面に、前記縦目地一次止水材３１の下端面が当接する第一当接面１１を有する筒状体の後端部に、当該縦目地一次止水材３１の後端面が当接する第二当接面１４を形成する縦壁１５を立設し、内部に、前後方向の排水通路１２を有する排水体１０と、前記排水体１０の後端から連設されると共に、底壁２４後端部から後壁２６を立設し、前記底壁２４の上端面に、前記縦壁１５と後壁２６との間に侵入させた前記縦目地二次止水材３２の下端面が当接する第三当接面２３を有する組付体２０と、からなる。
【０００７】
請求項３に記載の目地排水部材１は、請求項１または２に記載の発明において、排水体１０の排水通路１２を、その前端開口部１３が下向きになるように形成してなる。
【発明の効果】
【０００８】
請求項１に記載の目地排水部材１は、縦目地一次止水材３１と縦目地二次止水材３２の直下に設けるので、当該縦目地一次止水材３１と縦目地二次止水材３２の間に侵入した水Ｗを、排水用のスペースである排水体１０の排水通路１２を通して屋外に確実に排出することができる。従って、従来技術のように排水用スペースを目地材によって塞いでしまうといった問題を解決することができる。
【０００９】
また、縦目地一次止水材３１の下端面を、排水体１０に設けた第一当接面１１に当接させて上下方向の位置決めを行い、また、その後端面を、第二当接面１４に当接させて前後方向の位置決めを行うので、当該縦目地一次止水材３１の位置決めを正確に行うことができる。また、縦目地二次止水材３２の下端面を、組付体２０に設けた第三当接面２３に当接させるので、当該縦目地二次止水材３２の上下方向の位置決めを正確に行うことができる。これによって、従来技術のように、排水用スペースを確保するために目地材の施工作業性が悪くなるといった問題を解決することができる。
【００１０】
なお、縦目地一次止水材３１および横目地一次止水材３８をシーリング（湿式目地）で形成する場合、それらは目地排水部材１を取付けた後に充填するので、当該シーリングの施工バラツキによって、排水用スペース（排水通路１２）を塞いでしまうといった問題は発生しない。
【００１１】
なお、本発明では、矢印状に形成したリップ片２１の先端部が、目地３０の側面等に係止することによって、当該目地排水部材１の目地３０からの抜出しを未然に防止することができる。
【００１２】
請求項２に記載の目地排水部材１は、縦目地一次止水材３１と縦目地二次止水材３２の直下に設けるので、当該縦目地一次止水材３１と縦目地二次止水材３２との間に侵入した水Ｗを、排水体１０の排水通路１２を通して屋外に確実に排出することができる。これにより、排水用スペースを目地材によって塞いでしまうといった問題を解決することができる。
【００１３】
また、縦目地一次止水材３１の下端面を、排水体１０に設けた第一当接面１１に当接させて上下方向の位置決めを行い、また、その後端面を、第二当接面１４に当接させて前後方向の位置決めを行うので、当該縦目地一次止水材３１の位置決めを正確に行うことができる。また、縦目地二次止水材３２の下端面を、組付体２０の底壁２４に設けた第三当接面２３に当接させるので、当該縦目地二次止水材３２の上下方向の位置決めを正確に行うことができる。これによって、従来技術のような排水用スペースを確保するために目地材の施工作業性が悪くなるといった問題を解決することができる。
【００１４】
なお、縦目地二次止水材３２の下端部の前端面は縦壁１５に当接し、後端面は後壁２６に当接するので前後方向の位置決めが正確に行われる。
【００１５】
請求項３に記載の目地排水部材１は、請求項１および２に記載の発明と同様に、縦目地一次止水材３１と縦目地二次止水材３２の間に侵入した水Ｗを、確実に排出することができると共に、目地材の位置決めを行うので、施工作業性の向上を図ることができる。
【００１６】
また、排水体１０の排水通路１２を、その前端開口部１３が下向きになるように形成しているので、当該前端開口部１３が視覚され難く、よって見栄えに優れる。また、水Ｗを地面方向に向けて案内することができる。
【発明を実施するための最良の形態】
【００１７】
本発明に係る目地排水部材１の第一実施形態を、図２乃至図９に示す。これは、外壁をサイディングとした建物の目地３０に挿入された乾式目地材である縦目地一次止水材３１と縦目地二次止水材３２の直下に設けられ、前記縦目地一次止水材３１と縦目地二次止水材３２との間に侵入した水Ｗを屋外へ排出するものであり、排水体１０と組付体２０とからなる。この目地排水部材１は、硬質樹脂で形成されている。
【００１８】
排水体１０は、その上端面に、縦目地一次止水材３１の下端面が当接する第一当接面１１を有する四角筒形状体の後端部に、当該縦目地一次止水材３１の後端面が当接する第二当接面１４を形成する縦壁１５を立設し、内部に、前後方向の排水通路１２を有する。
【００１９】
組付体２０は、前記排水体１０の後端から連設され、左右方向に矢印状に形成したリップ片２１を有し、当該リップ片の上端面に、前記縦目地二次止水材３２の下端面が当接する第三当接面２３を有する。
【００２０】
なお、リップ片２１は、排水体１０の下端部後端に連設した下端壁２７、およびその下端壁２７の上面に形成した傾斜壁２８によって支持され、また、排水体１０に一体的に連設されている。
【００２１】
本実施形態における目地排水部材１において、縦目地一次止水材３１と縦目地二次止水材３２との間に侵入した水Ｗは、滴下して下端壁２７に達し、そこから排水通路１２を通過して前端開口部１３から屋外へ排出される。これにより、侵入した水Ｗを排出するためのスペース（排水通路１２）を確保することができ、当該水Ｗを確実に排出することができる。
【００２２】
また、縦目地一次止水材３１の下端面を、排水体１０に設けた第一当接面１１に当接させ、その後端面を第二当接面１４に当接させるので、当該縦目地一次止水材３１の位置決めを正確に行うことができる。また、縦目地二次止水材３２の下端面を、組付体２０に設けた第三当接面２３に当接させるので、当該縦目地二次止水材３２の位置決めを正確に行うことができる。従って、排水用のスペース（排水通路１２）を正確に確保しつつ、止水材の施工作業を容易に行うことができる。
【００２３】
なお、第一実施形態における目地排水部材１は、図２乃至図５に示すように、建物の一階用として設けられる第一サイディング３３および第一フレーム３４の上端面と、二階用として設けられる第二サイディング３５および第二フレーム３６の下端面との間に設けられるものである。また、この目地排水部材１は、第一サイディング３３および第二フレーム３６の上端面に設けられるクロス目地材４０の基板４１に形成した凹部４２に設けられるものである。なお、クロス目地材４０に凹部４２を形成しない場合は、基板４１の上に設けることができる。クロス目地材４０の後端部には、縦目地二次止水材３２を越えた水が室内側に流れるのを防ぐための止水柱４３が立設されている。また、クロス目地材４０の基板４１によって、横目地３０ｂの高さ幅を設定する。
【００２４】
また、横目地一次止水材３８が、排水体１０の左右側に設けられ、横目地二次止水材３９が組付体２０の左右側に設けられる。なお、クロス目地材４０の下にはゴムシート４４を敷設している。また、サイディングとフレームとの間には、防水シート３７を設けている。
【００２５】
なお、縦目地一次止水材３１および横目地一次止水材３８をシーリング（湿式目地）で構成する場合は、目地排水部材１を取付けた後に充填するので、当該シーリングによって排水通路１２を塞いでしまうことはない。
【００２６】
なお、リップ片２１の先端部が、クロス目地材４０の凹部４２の側面、および縦目地３０ａを形成する二つの第二サイディング３５（および第二フレーム３６）の側面に係止するので、当該縦目地３０ａからの抜出しが防止される。また、このリップ片２１を、第二サイディング３５と第二フレーム３６との間の隙間に挿入した状態で係合させることによって、目地排水部材１の抜出しをさらに効果的に防止することができる。
【００２７】
本発明に係る目地排水部材１の第二実施形態を、図１０乃至図１４に示す。
これは、建物の目地３０に挿入された縦目地一次止水材３１と縦目地二次止水材３２の直下に設けられ、縦目地一次止水材３１と縦目地二次止水材３２との間に侵入した水Ｗを屋外へ排出するものであり、排水体１０と組付体２０とで構成される。
【００２８】
排水体１０は、その筒状体上端面の後半部に、縦目地一次止水材３１の下端面が当接する第一当接面１１を有し、その後端部に、当該縦目地一次止水材３１の後端面が当接する第二当接面１４を形成する縦壁１５を立設している。また、その内部に排水通路１２を有し、当該排水通路１２は、その前端開口部１３が下向きになるように形成されている。
【００２９】
図示は省略するが、排水口は四面角形状に限定されない。略丸形状でもよい。
【００３０】
組付体２０は、排水体１０の後端から連設されると共に、その底壁２４から、縦壁１５と同一高さの後壁２６を立設している。また、底壁２４の上端面に、前壁２５と後壁２６との間に侵入させる縦目地二次止水材３２の下端面が当接する第三当接面２３を有する。なお、底壁２４の下位には、排水体１０の下端部に一体設された下端壁２７が設けられている。
【００３１】
本実施形態における目地排水部材１は、縦目地一次止水材３１と縦目地二次止水材３２の直下に設けるので、当該縦目地一次止水材３１と縦目地二次止水材３２との間に侵入した水Ｗを、排水体１０の排水通路１２を通して屋外に確実に排出することができる。
【００３２】
また、縦目地一次止水材３１の下端面を、排水体１０に設けた第一当接面１１に当接させて上下方向の位置決めを行い、また、その後端面を第三当接面２３に当接させた前後方向の位置決めを行うので、当該縦目地一次止水材３１の位置決めを正確に行うことができる。さらに、縦目地二次止水材３２の下端面を、組付体２０の底壁２４に設けた第三当接面２３に当接させるので、当該縦目地二次止水材３２の上下方向の位置決めを正確に行うことができる。これによって、排水用のスペース（排水通路１２）を確実に確保しながら、止水材の施工作業を正確かつ容易に行うことができる。
【００３３】
なお、縦目地二次止水材３２の下端部の前端面は縦壁１５に当接し、後端面は後壁２６に当接するので前後方向の位置決めが正確に行われる。また、排水体１０の排水通路１２を、その前端開口部１３が下向きになるように形成しているので、当該前端開口部１３が視覚され難く、よって見栄えに優れる。また、水Ｗを地面方向に向けて案内することができる。
【図面の簡単な説明】
【００３４】
【図１】従来例に係る排水用スペースを示す正面図である。
【図２】本発明の第一実施形態に係る目地排水部材の組付け前の状態を示す分解斜視図である。
【図３】本発明の第一実施形態に係る目地排水部材の組付け後の状態を示す正面図である。
【図４】本発明の第一実施形態に係る目地排水部材の組付け後の状態を示す平面図である。
【図５】本発明の第一実施形態に係る目地排水部材の組付け後の状態を示す側面図である。
【図６】本発明の第一実施形態に係る目地排水部材を示す斜視図である。
【図７】図６に示す目地排水部材の正面図である。
【図８】図６に示す目地排水部材の平面図である。
【図９】図６に示す目地排水部材の側面図である。
【図１０】本発明の第二実施形態に係る目地排水部材を示す斜視図である。
【図１１】図１０に示す目地排水部材の縦断面図である。
【図１２】図１０に示す目地排水部材の正面図である。
【図１３】図１０に示す目地排水部材の平面図である。
【図１４】図１０に示す目地排水部材の側面図である。
【図１５】図１０に示す目地排水部材を縦目地二次止水材に組付けた状態を示す斜視図である。
【符号の説明】
【００３５】
１        目地排水部材
１０      排水体
１１      第一当接面
１２      排水通路
１３      前端開口部
１４      第二当接面
１５      縦壁
２０      組付体
２１      リップ片
２３      第三当接面
２４      底壁
２６      後壁
２７      下端壁
２８      傾斜壁
３０      目地
３０ａ    縦目地
３０ｂ    横目地
３１      縦目地一次止水材
３２      縦目地二次止水材
３３      第一サイディング
３４      第一フレーム
３５      第二サイディング
３６      第二フレーム
３７      防水シート
３８      横目地一次止水材
３９      横目地二次止水材
４０      クロス目地材
４１      基板
４２      凹部
４３      柱
４４      ゴムシート
５０      サイディング
５１      目地
５２      目地材
５２ａ    縦目地材
５２ｂ    横目地材
５３      排水用スペース
Ｗ        水
【図１】
2006291599.tif 000003
【図２】
2006291599.tif 000004
【図３】
2006291599.tif 000005
【図４】
2006291599.tif 000006
【図５】
2006291599.tif 000007
【図６】
2006291599.tif 000008
【図７】
2006291599.tif 000009
【図８】
2006291599.tif 000010
【図９】
2006291599.tif 000011
【図１０】
2006291599.tif 000012
【図１１】
2006291599.tif 000013
【図１２】
2006291599.tif 000014
【図１３】
2006291599.tif 000015
【図１４】
2006291599.tif 000016
【図１５】
2006291599.tif 000017